(57)【要約】【課題】比較的簡単に重心位置を調整できるダーツ矢を提供する。【解決手段】  チップ１２とバレル１４とシャフト１６とフライト１８とを順に連結したものであって、バレル１４にはその軸部に軸孔２８が形成されている。軸孔２８の内部には棒状のピン３０が、バレル１４の軸方向に移動可能に収容されている。例えば、前ねじ３２と後ねじ３４とで、軸孔２８の内部でピン３０を位置決めして固定する。ピン３０を任意の位置で位置決めできるので、重心の微妙な調整により、利用者の好みのダーツ矢１０を得ることができる。バレル１４とシャフト１６の間にはアダプタ５０が挟み込まれて、標準ねじ径のシャフト１６が接続できる。【選択図】図１１
2009201970.tif 000002
【特許請求の範囲】
【請求項１】
チップ１２とバレル１４とシャフト１６とフライト１８とを順に連結したものであって、
バレル１４にはその軸部に軸孔２８が形成されており、
前記軸孔２８の内部には棒状のピン３０が、バレル１４の軸方向にバレルの一端から抜き差し可能に収容されており、
バレル１４の軸孔２８前端にねじ込まれた前ねじもしくはバレル１４の軸孔２８後端にねじ込まれた後ねじ３４と、前記軸孔２８の縮径部２９により、前記軸孔２８の内部で前記ピン３０を位置決めする位置決め手段を構成することを特徴とするダーツ矢。
【請求項２】
チップ１２とバレル１４とシャフト１６とフライト１８とを順に連結したものであって、
バレル１４にはその軸部に軸孔２８が形成されており、
前記軸孔２８の内部には棒状のピン３０が、バレル１４の軸方向にバレルの一端から抜き差し可能に収容されており、
バレル１４の軸孔２８前端にねじ込まれた前ねじ３２と、バレル１４の軸孔２８後端にねじ込まれた後ねじ３４とにより、前記軸孔２８の内部で前記ピン３０を位置決めする位置決め手段を構成することを特徴とするダーツ矢。
【請求項３】
請求項１または２に記載のダーツ矢において、
前記前ねじ３２は、前記チップ１２の端にあって、バレル１４の前端ねじ孔２０にねじ込まれるチップ１２のねじ部２４であることを特徴とするダーツ矢。
【請求項４】
請求項１または２に記載のダーツ矢において、
前記後ねじ３４は、前記シャフト１６の端にあって、バレル１４の後端ねじ孔２２にねじ込まれるシャフト１６のねじ部２６であることを特徴とするダーツ矢。
【請求項５】
請求項３または４に記載のダーツ矢において、
前記バレル１４と前記シャフト１６の間には、一端に設けた雄ねじ部５２を前記バレル１４の後端ねじ孔２２にねじ込み、他端に設けた雌ねじ部５４に前記シャフト１６のねじ部２６を受け入れるアダプタ５０が挟み込まれていることを特徴とするダーツ矢。
【請求項６】
請求項５に記載のダーツ矢において、
バレル１４の後端ねじ孔２２は前記ピン３０が抜き差し可能な内径を有し、
前記シャフト１６のシャフトのねじ部２６の外径は、前記ピン３０の外径より小さいことを特徴とするダーツ矢。
【請求項７】
請求項３または４に記載のダーツ矢において、
前記バレル１４と前記チップ１２の間には、一端に設けた雄ねじ部５２を前記バレル１４の前端ねじ孔２０にねじ込み、他端に設けた雌ねじ部５４に前記チップ１２のねじ部２４を受け入れるアダプタ５０が挟み込まれていることを特徴とするダーツ矢。
【請求項８】
請求項７に記載のダーツ矢において、
バレル１４の前端ねじ孔２０は前記ピン３０が抜き差し可能な内径を有し、
前記チップ１２のチップのねじ部２４の外径は、前記ピン３０の外径より小さいことを特徴とするダーツ矢。
【請求項９】
請求項１乃至８のいずれかに記載のダーツ矢において、
バレル１４にはその軸部に軸孔２８が形成されており、
軸孔２８の内部には棒状のピン３０が収容されており、
ピン３０はその重心の位置が長手方向に見て中央よりいずれか一方にシフトしており、
軸孔２８は、ピン３０の一方の端をチップ１２に向けた状態と他方の端をチップ１２に向けた状態の、いずれの状態でもピン３０を収納できる形状にされていることを特徴とするダーツ矢。
【請求項１０】
請求項１乃至９のいずれかに記載のダーツ矢において、
前記バレル１４は透明体から構成されていることを特徴とするダーツ矢。
【請求項１１】
請求項１０に記載のダーツ矢において、
前記ピン３０の外面には、ピン３０の種別または向きを区別する表示が設けられていることを特徴とするダーツ矢。
【請求項１２】
請求項１に記載のダーツ矢において、
バレルの軸孔前端に収容された第１のスペーサと、バレルの軸孔後端に収容された第２のスペーサとにより、前記軸孔の内部で前記ピンを位置決めする位置決め手段を構成し、前記ピンの長さをＬとし、前記第１のスペーサの長さをＬ２とし、前記第２のスペーサの長さをＬ３としたとき、Ｌ１＋Ｌ２＋Ｌ３が前記軸孔の全長Ｗとほぼ一致するように、それぞれの長さを選定したことを特徴とするダーツ矢。
【請求項１３】
チップ１２とバレル１４とシャフト１６とフライト１８とを順に連結したものであって、
バレル１４にはその軸部に軸孔２８が形成されており、
軸孔２８の内部には棒状のピン３０が収容されており、
ピン３０はその重心の位置が長手方向に見て中央よりいずれか一方にシフトしており、
軸孔２８は、ピン３０の一方の端をチップ１２に向けた状態と他方の端をチップ１２に向けた状態の、いずれの状態でもピン３０を収納できる形状にされていることを特徴とするダーツ矢。
【請求項１４】
軸部に軸孔２８が形成されたダーツ矢のバレル１４と、
前記軸孔２８に収容される、それぞれ重量もしくは重心位置の異なる複数の棒状のピン３０を備えたダーツカスタマイズキット。
【請求項１５】
軸部に軸孔２８が形成されたダーツ矢のバレル１４と、
前記軸孔２８に収容される、それぞれ重量もしくは重心位置の異なる複数の棒状のピン３０を備え、
前記バレルは透明であって、前記ピンはそれぞれ異なる着色が施されているダーツカスタマイズキット。
【発明の詳細な説明】
【技術分野】
【０００１】
本発明は重心位置を自由に調整できるダーツ矢とダーツカスタマイズキットに関する。
【背景技術】
【０００２】
ダーツは、矢を手で掴んで投げて的に当てるという比較的単純に見える競技である。しかし、国際的にも広く普及し、競技の内容も競技に使用する器具も高度化しており、例えば、既に次のような技術が紹介されている（特許文献１参照）。
【特許文献１】特開２００６−２１２２２４号公報
【特許文献２】特開２００７−２０２８９３号公報
【特許文献３】実用新案登録３１３０３８５号公報
【特許文献４】実用新案登録３１３３５４６号公報
【発明の開示】
【発明が解決しようとする課題】
【０００３】
上記のような既知の従来技術には、次のような解決すべき課題があった。
ダーツで的中精度を上げるには、矢のスローイングラインの選定が重要になる。競技者は、矢の微妙なウエイトバランスにも気を遣って、競技のコンディションを整える。例えば、複数種類の矢を準備する。そして、その日のコンディションに応じて使用する矢を選択する。また、チップやシャフトやフライトを好みのものに交換する。しかしながら、矢の重量の大部分を占めるのはバレルの部分である。バレルはステンレスや比重の重いレアメタルが使用されるため高価なものになる。また、手になじんだバレルが使い易く、頻繁に交換するのは望ましくない。そうは言っても、バレル以外のシャフトやフライトを交換しても、ウエイトバランスにはほとんど影響しない。このため、バレル内部にウエイトを挿入して、その位置を調整するものが開発された（特許文献２参照）。また、位置調節のために、バレル内部にねじ切りをしたウエイトを挿入したものも開発された（特許文献３参照）（特許文献４参照）。しかし、タングステン等の比重の重い金属は硬くて加工が容易でない。また、位置調整のための部品点数の増加や微妙な位置調整機構によるバランスの狂いも問題になる。
本発明は上記の課題を解決するダーツ矢とダーツカスタマイズキットを提供することを目的とする。
【課題を解決するための手段】
【０００４】
以下の構成はそれぞれ上記の課題を解決するための手段である。
〈構成１〉
チップ１２とバレル１４とシャフト１６とフライト１８とを順に連結したものであって、バレル１４にはその軸部に軸孔２８が形成されており、上記軸孔２８の内部には棒状のピン３０が、バレル１４の軸方向にバレルの一端から抜き差し可能に収容されており、バレル１４の軸孔２８前端にねじ込まれた前ねじもしくはバレル１４の軸孔２８後端にねじ込まれた後ねじ３４と、上記軸孔２８の縮径部２９により、上記軸孔２８の内部で上記ピン３０を位置決めする位置決め手段を構成することを特徴とするダーツ矢。
【０００５】
〈構成２〉
チップ１２とバレル１４とシャフト１６とフライト１８とを順に連結したものであって、バレル１４にはその軸部に軸孔２８が形成されており、上記軸孔２８の内部には棒状のピン３０が、バレル１４の軸方向にバレルの一端から抜き差し可能に収容されており、バレル１４の軸孔２８前端にねじ込まれた前ねじ３２と、バレル１４の軸孔２８後端にねじ込まれた後ねじ３４とにより、上記軸孔２８の内部で上記ピン３０を位置決めする位置決め手段を構成することを特徴とするダーツ矢。
【０００６】
〈構成３〉
構成１または２に記載のダーツ矢において、上記前ねじ３２は、上記チップ１２の端にあって、バレル１４の前端ねじ孔２０にねじ込まれるチップ１２のねじ部２４であることを特徴とするダーツ矢。
【０００７】
〈構成４〉
構成１または２に記載のダーツ矢において、上記後ねじ３４は、上記シャフト１６の端にあって、バレル１４の後端ねじ孔２２にねじ込まれるシャフト１６のねじ部２６であることを特徴とするダーツ矢。
【０００８】
〈構成５〉
構成３または４に記載のダーツ矢において、上記バレル１４と上記シャフト１６の間には、一端に設けた雄ねじ部５２を上記バレル１４の後端ねじ孔２２にねじ込み、他端に設けた雌ねじ部５４に上記シャフト１６のねじ部２６を受け入れるアダプタ５０が挟み込まれていることを特徴とするダーツ矢。
【０００９】
〈構成６〉
構成５に記載のダーツ矢において、バレル１４の後端ねじ孔２２は上記ピン３０が抜き差し可能な内径を有し、上記シャフト１６のシャフトのねじ部２６の外径は、上記ピン３０の外径より小さいことを特徴とするダーツ矢。
【００１０】
〈構成７〉
構成３または４に記載のダーツ矢において、上記バレル１４と上記チップ１２の間には、一端に設けた雄ねじ部５２を上記バレル１４の前端ねじ孔２０にねじ込み、他端に設けた雌ねじ部５４に上記チップ１２のねじ部２４を受け入れるアダプタ５０が挟み込まれていることを特徴とするダーツ矢。
【００１１】
〈構成８〉
構成７に記載のダーツ矢において、バレル１４の前端ねじ孔２０は上記ピン３０が抜き差し可能な内径を有し、上記チップ１２のチップのねじ部２４の外径は、上記ピン３０の外径より小さいことを特徴とするダーツ矢。
【００１２】
〈構成９〉
構成１乃至８のいずれかに記載のダーツ矢において、バレル１４にはその軸部に軸孔２８が形成されており、軸孔２８の内部には棒状のピン３０が収容されており、ピン３０はその重心の位置が長手方向に見て中央よりいずれか一方にシフトしており、軸孔２８は、ピン３０の一方の端をチップ１２に向けた状態と他方の端をチップ１２に向けた状態の、いずれの状態でもピン３０を収納できる形状にされていることを特徴とするダーツ矢。
【００１３】
〈構成１０〉
構成１乃至９のいずれかに記載のダーツ矢において、上記バレル１４は透明体から構成されていることを特徴とするダーツ矢。
【００１４】
〈構成１１〉
構成１０に記載のダーツ矢において、上記ピン３０の外面には、ピン３０の種別または向きを区別する表示が設けられていることを特徴とするダーツ矢。
【００１５】
〈構成１２〉
構成１に記載のダーツ矢において、バレルの軸孔前端に収容された第１のスペーサと、バレルの軸孔後端に収容された第２のスペーサとにより、上記軸孔の内部で上記ピンを位置決めする位置決め手段を構成し、上記ピンの長さをＬとし、上記第１のスペーサの長さをＬ２とし、上記第２のスペーサの長さをＬ３としたとき、Ｌ１＋Ｌ２＋Ｌ３が上記軸孔の全長Ｗとほぼ一致するように、それぞれの長さを選定したことを特徴とするダーツ矢。
【００１６】
〈構成１３〉
チップ１２とバレル１４とシャフト１６とフライト１８とを順に連結したものであって、バレル１４にはその軸部に軸孔２８が形成されており、軸孔２８の内部には棒状のピン３０が収容されており、ピン３０はその重心の位置が長手方向に見て中央よりいずれか一方にシフトしており、軸孔２８は、ピン３０の一方の端をチップ１２に向けた状態と他方の端をチップ１２に向けた状態の、いずれの状態でもピン３０を収納できる形状にされていることを特徴とするダーツ矢。
【００１７】
〈構成１４〉
軸部に軸孔２８が形成されたダーツ矢のバレル１４と、上記軸孔２８に収容される、それぞれ重量もしくは重心位置の異なる複数の棒状のピン３０を備えたダーツカスタマイズキット。
【００１８】
〈構成１５〉
軸部に軸孔２８が形成されたダーツ矢のバレル１４と、前記軸孔２８に収容される、それぞれ重量もしくは重心位置の異なる複数の棒状のピン３０を備え、前記バレルは透明であって、前記ピンはそれぞれ異なる着色が施されているダーツカスタマイズキット。
【発明を実施するための最良の形態】
【００１９】
以下、本発明の実施の形態を実施例毎に詳細に説明する。
【実施例１】
【００２０】
図１の（ａ）は実施例１のダーツ矢１０を示す分解側面図である。また、（ｂ）はバレル１４の縦断面図である。
図のように、ダーツ矢１０は、チップ１２とバレル１４とシャフト１６とフライト１８とを順に連結したものである。チップ１２にはねじ部２４が設けられている。このチップのねじ部２４をバレル１４の前端ねじ孔２０にねじ込んでチップ１２を固定する。また、シャフト１６の一方の端にはねじ部２６が設けられている。このシャフトのねじ部２６をバレル１４の後端ねじ孔２２にねじ込んでシャフト１６を固定する。シャフト１６の他方の端には、フライト１８が着脱可能に固定されている。
【００２１】
チップ１２は、例えば金属針あるいはプラスチック針で構成される。シャフト１６とフライト１８は、例えばプラスチックや金属等で構成される。バレル１４はステンレスやチタンやタングステン等の比重の重い金属で構成される。バレル１４にはその軸部に軸孔２８が形成されている。この軸孔２８の内部には棒状のピン３０が収容されている。バレル１４の全長は例えば、約４０ｍｍ程度である。軸孔２８の内径は４ｍｍ程度である。ピン３０は、バレル１４の軸方向に移動可能に収容されている。ピン３０の外径は軸孔２８の内径とほぼ等しくされて、小さなクリアランスで移動可能な状態に収容されることが好ましい。
【００２２】
さらに、バレル１４の軸孔２８の前端には、前ねじ３２がねじ込まれている。前ねじ３２は、頭部に六角形の穴を有する埋め込み型のねじである。良く知られた六角レンチで回転させる。前ねじ３２はマイナスねじであっても構わない。バレル１４の軸孔２８の後端には、後ねじ３４がねじ込まれている。これも、前ねじ３２と同一の構造のものでよい。前ねじ３２を適当な場所までねじ込み、ピン３０の一端をこの前ねじ３２に衝突させ、後ねじ３４をねじ込んで締め付けると、軸孔２８の内部でピン３０を位置決めすることができる。本発明では、これを位置決め手段と呼んでいる。例えば、この要領で、ピン３０を、バレル１４の軸孔２８中で、約３ｍｍほど前後させた位置で位置決めできる。従って、重心の微妙な調整により、利用者の好みのダーツ矢１０を得ることができる。
【実施例２】
【００２３】
図２（ａ）は実施例１のダーツ矢の主要部斜視図、（ｂ）は実施例２のダーツ矢の主要部斜視図、（ｃ）と（ｄ）はそれぞれその変形例のダーツ矢の主要部斜視図である。
実施例のダーツ矢は、ピンの両端に前ねじ３２と後ねじ３４とを配置してねじ込みにより位置決めをする構造のものであった。ここで、例えば、図１に示したチップ１２のねじ部２４が前ねじ３２の代わりに使用されてもよい。前端ねじ孔２０に対するチップのねじ部２４のねじ込み深さを、ピン３０の移動量以上に選定しておけば、チップのねじ部２４のねじ込み量を調整して、重心位置を変化させることができる。同様にして、シャフト１６のねじ部２６が後ねじ３４の代わりに使用されてもよい。
【００２４】
また、例えば、図２の（ｂ）に示すように、ピン３０の一端側に適当な長さのスペーサ４０を配置して、後ねじ３４をねじ込んで、スペーサ４０と後ねじ３４とでピン３０を挟んでもよい。スペーサ４０を数種類用意しておけば、数段階の位置調整ができる。このとき、前ねじ３２は要らない。逆に、後ねじ３４を省略して、前ねじ３２を締め付けに使用してもよい。このように、軸孔２８の内部で、ピン３０の移動する空間を封止するスペーサ４０を設けることにより、軸孔２８の内部でピン３０を位置決めできる。
【００２５】
また、例えば、図２の（ｃ）に示すように、ピン３０の一端側にばね３６を配置してもよい、ピン３０はばね３６に押されて右方向に移動しようとする。これを押すように、３４をねじ込むと、ピン３０を自由に任意の位置に位置決めできる。後ねじ３４一本だけで位置調整ができる。これまでの例と同様に、後ねじ３４の代わりに前ねじ３２を締め付けに使用してもよい。このように、軸孔２８の内部で、ピン３０を弾力によりバレル１４の軸方向に押すばねと、このばねの力で移動するピン３０の移動を阻止する後ねじ３４等のストッパにより、軸孔２８の内部でピン３０を位置決めすることができる。
【００２６】
また、例えば、図２の（ｄ）に示すように、ピン３０の一端側に、ねじ部３１を設けても良い。ピン３０は硬質の金属材料だからねじ加工は難しい。従って、例えば、全く別の柔らかい金属やプラスチックねじを、ピン３０の一端側に接着や溶接で固定するとよい。六角穴もこのねじ部３１に設けるとよい。こうすれば、ねじ部３１を回転すると、自動的にピン３０の位置決めができる。また、ピン３０の外周にスプリングのような螺旋紐を巻き付けて、ねじを形成してもよい。
【実施例３】
【００２７】
図３（ａ）は、ダーツカスタマイズキットの例を示す平面図、（ｂ）はピン３０の重心説明図、（ｃ）はバレル１４の重心説明図である。
図のダーツカスタマイズキットは、ケース４５に収納されている。このケース４５には、２本のバレル１４と２本のピン３０と、適当な数のチップ１２とシャフト１６と  フライト１８とが収納されている。この状態で販売される。競技者はこれらの部品を自由に組み合わせて使用する。
【００２８】
ここで、２本のピン３０は、図の（ｂ）に示すように、その重心位置が、Ｗ１、Ｗ２というように、若干異なっている。従って、全く同様にバレル１４の軸孔２８に収容されたとしても、ダーツ矢１０の重心が異なる。また、軸孔２８は、長手方向に見て、均一な内径を有する。ピン３０もデータが手方向に見て均一な外径を有する。従って、ピン３０の一方の端をチップ１２に向けた状態と他方の端をチップ１２に向けた状態の、いずれの状態でもピンを収納できる。このため、ピン３０を逆方向に向けて、後方に重心を移動させることもできる。
【００２９】
なお、上記のように、ピン３０をタングステンのような比重の大きな金属にすると、ダーツ矢全体の重量配分を手で掴む部分に集中させることができする。しかも、その外周を包囲するバレル１４をステンレス製にすると、比較的加工が容易で装飾がし易く、バレルも含む全体をタングステンにしたものよりも自由度の高いデザインを施すことができる。
【実施例４】
【００３０】
図４は、実施例４のダーツ矢１０を示す分解側面図である。また、図５は、実施例４のダーツ矢１０の変形例を示す分解側面図である。
この実施例では、バレルの軸孔２８の前端に収容された第１のスペーサ４２と、バレルの軸孔２８の後端に収容された第２のスペーサ４４とにより、軸孔２８の内部でピン３０を位置決めする。即ち、第１のスペーサ４２と第２のスペーサ４４とにより、位置決め手段を構成する。
【００３１】
ここで、ピン３０の長さをＬとし、第１のスペーサの長さをＬ２とし、第２のスペーサの長さをＬ３とする。このとき、Ｌ１＋Ｌ２＋Ｌ３が、軸孔２８の全長Ｗとほぼ一致するように、それぞれの長さを選定する。こうすれば、ピン３０は第１のスペーサ４２と第２のスペーサ４４とに挟まれて、軸孔２８の内部の所定の位置に正確に位置決めされる。図５に示すように、第１のスペーサ４６と第２のスペーサ４８の寸法を、図４のものと異なるようにすると、ピン３０の位置を前方あるいは後方に自由に位置決めできる。従って、好みの重心を設定することができる。
【００３２】
ピン３０はチタンやタングステン等により構成するとよい。第１のスペーサ４２と第２のスペーサ４４とはいずれも、多少柔軟で軽量な、低密度ポリエチレン等のプラスチックにより構成するとよい。さらに軽量化を図るため、発泡材料やパイプ状のものを使用してもよい。図１に示したチップのねじ部２４を前端ねじ孔２０にねじ込み、シャフトのねじ部２６を後端ねじ孔２２にねじ込むと、第１のスペーサ４２と第２のスペーサ４４とに軽く力が加わるように接触して、ピン３０を軽く挟むことができる。従って、第１のスペーサ４２や第２のスペーサ４４をこのような寸法に選定することが好ましい。なお、例えば、チップのねじ部２４の先端やシャフトのねじ部２６の先端に、第１のスペーサあるいは第２のスペーサ４４やスペーサの役割をする突起等を設けておいてもよい。
【実施例５】
【００３３】
図６はチップ１２の実施例を示し、（ａ）は左側面図、（ｂ）は正面図、（ｃ）は右側面図である。図７はバレル１４の実施例を示し、（ａ）は左側面図、（ｂ）は正面図、（ｃ）は右側面図である。図８はピン３０の実施例を示し、（ａ）は左側面図、（ｂ）は正面図である。図９はシャフト１６の実施例を示し、（ａ）は左側面図、（ｂ）は正面図、（ｃ）は右側面図である。図１０はシャフト１６の実施例を示し、（ａ）は左側面図、（ｂ）は正面図、（ｃ）は右側面図（ｄ）は平面図である。
【００３４】
図６に示すチップ１２はこれまでの実施例のものと変わらない。図７に示すバレル１４にはその軸部に、上記の実施例と同様の軸孔２８が形成されている。なお、この実施例のバレル１４は透明体から構成されている。例えば、硬質プラスチックパイプで構成する。この実施例のダーツ矢１０では、ピン３０を自由に交換したり向きを変えたりできる。このとき、内部にどんなピン３０が収容されているかすぐに分かることが好ましい。そこで、バレル１４を透明体にして、内部を透視できるようにした。また、ピン３０を様々な色に着色したり装飾を施すと、ダーツ矢１０の外観をそのつど変化させることができる。バレル１４を透明体にすると、こうした装飾効果も高まる。
【００３５】
バレル１４の軸孔２８の内部には、図８に示す棒状のピン３０が、バレル１４の軸方向にバレルの一端から抜き差し可能に収容される。図９に示すシャフト１６の構造も、基本的には、これまでの実施例のものと変わらない。右端の十字状のスリット１７に図１で示したフライト１８が装着される。また、この実施例のものも、図１で説明したように、バレル１４の軸孔２８の前端にねじ込まれた前ねじ３２と、バレル１４の軸孔２８後端にねじ込まれた後ねじ３４とにより、軸孔２８の内部で前記ピン３０を位置決めすることができる。しかし、図６に示したチップ１２の端にあって、バレル１４の前端ねじ孔２０にねじ込まれるチップ１２のねじ部２４で、ピン３０の一端を固定するようにしてもよい。ねじ部２４の長さを選定することで、ピン３０の位置調整ができる。また、図９に示したシャフト１６の端にあって、バレル１４の後端ねじ孔２２にねじ込まれるシャフト１６のねじ部２６で、ピン３０の一端を固定するようにしてもよい。ねじ部２６の長さを選定することで、ピン３０の位置調整ができる。
【実施例６】
【００３６】
図１０の（ａ）はダーツ矢１０を連結した状態を示す側面図、（ｂ）〜（ｅ）はピン３０の変形例側面図である。
図のように、バレル１４を透明にしておくと、チップ１２とバレル１４とシャフト１６とを順に連結したとき、その内部に収容されたピン３０が透視できる。ここで、（ｂ）に示すピン３０はこれまでの実施例と同様の円柱状のものである。これに、ブルー、ピンク、オレンジ、グリーン、イエロー等の着色を施すことで、ダーツ矢１０の外観を変えることができる。また、図の（ｃ）に示したピン３０ｃは大径部６０と小径部６１とを有する。即ち、このようにして、ピン３０ｃの重心の位置を長手方向に見て中央よりいずれか一方にシフトさせる。この実施例では、バレル１４の軸孔２８は、ピン３０の大径部６０の外径よりやや大きい内径を有する。ピン３０の一方の端をチップ１２に向けた状態と他方の端をチップ１２に向けた状態の、いずれの状態でもピン３０をバレル１４に収納できるような軸孔形状にされている。このため、１種類のピン３０でその向きを変えるだけで、２種類のバランス調整ができる。（ｄ）は、ピン３０の端部でなく任意の位置を小径部６１にしたものである。（ｅ）はピン３０の軸部に透孔あるいは適当な長さのドリル孔を空けて、重心の位置をシフトさせている。このような構造の場合、外観からは向きが分からないから、ピン３０の外面に、ピン３０の種別または向きを区別する表示が設けられているとよい。これは図示しないが着色や模様、文字等により実現できる。
【実施例７】
【００３７】
図１１は、実施例７のダーツ矢１０を示し、（ａ）はシャフト１６の側面図、（ｂ）はアダプタ５０の側面図、（ｃ）はチップ１２の側面図、（ｄ）はバレル１４の縦断面図、（ｅ）はピン３０の側面図、（ｆ）はこれらを接続した側面図である。
図１１（ｄ）に示すように、バレル１４の軸孔２８には、縮径部５６が設けられている。バレル１４の軸孔２８の内部には、ピン３０が、バレル１４の軸方向に、バレルの上端から抜き差し可能に収容されている。
【００３８】
このバレル１４は、縮径部２９の側にチップ１２のチップのねじ部２４をねじ込み固定する構造になっている。バレル１４とシャフト１６の間には、アダプタ５０が挟み込まれる。アダプタ５０は、一端に設けた雄ねじ部５２をバレル１４の後端ねじ孔２２にねじ込み、他端に設けた雌ねじ部５４にシャフト１６のねじ部２６を受け入れるように構成されている。これにより、バレル１４の後端ねじ孔２２はピン３０が抜き差し可能な十分に広い内径にできる。標準タイプのシャフト１６のねじ部２６の外径は、ピン３０の外径より小さい。アダプタ５０を設けることにより、バレル１４とシャフト１６とを接続できる。バレル１４の軸孔２８内径を大きくできるので、タングステンよりも比重の軽いアルミニュームや真鍮等の金属をピン３０に採用できる。加工が容易なので、図１０の実施例のように変形したピン３０が使用できる。
【００３９】
なお、バレル１４の向きを反対にすると、バレル１４の前端からピン３０を出し入れできる。このときは、バレル１４の前端側にアダプタ５０を挟み込む。即ち、バレル１４とチップ１２の間に、一端に設けた雄ねじ部５２をバレル１４の前端ねじ孔２０にねじ込み、他端に設けた雌ねじ部５４にチップ１２のねじ部２４を受け入れるアダプタ５０を挟み込む。チップ１２のねじ部２４の外径は、ピン３０の外径より小さくてよい。図の（ｆ）には、チップ１２とバレル１４とシャフト１６とフライト１８とを順に連結したものを示す。
【００４０】
バレル１４の一端からピン３０を抜き差し可能にしたので、ピン３０を容易に交換できる。両端から抜き差し可能にしてもよいが、ピン３０が脱落することもあり、一端のみから抜き差しできることが好ましい。また、ピン３０の外形が大きいと、規格サイズのチップ１２やシャフト１６をそのまま接続できない。バレル１４の両端にアダプタ５０を設けなくてはならないから、部品点数も増えてコストも増大する。従って、バレル１４の軸孔２８に縮径部２９を設けることにより、ピン３０の位置決めをすることが好ましい。
【実施例８】
【００４１】
図１２はダーツカスタマイズキットの内容物を示す平面図である。
バレル１４は透明プラスチックのもの１個である。長さの異なる２個以上のバレル１４を含めてもよい。フライト１８は２個収容されている。また、それぞれ重量もしくは重心位置、あるいは着色の異なる４本の棒状のピン３０が収容されている。さらに、全体のバランスを変えることができるように、長さの異なるアダプタ５０が収容されている。シャフト１６やチップ１２は１個であるが、２個以上収容されていてもよい。シャフト１６やチップ１２を標準サイズのものにすれば、既存のシャフトやチップを付け替えることもできる。
【図面の簡単な説明】
【００４２】
【図１】（ａ）は実施例１のダーツ矢１０を示す分解側面図である。また、（ｂ）はバレル１４の縦断面図である。
【図２】（ａ）は実施例１のダーツ矢の主要部斜視図、（ｂ）は実施例２のダーツ矢の主要部斜視図、（ｃ）と（ｄ）はそれぞれその変形例のダーツ矢の主要部斜視図である。
【図３】（ａ）は、ダーツカスタマイズキットの例を示す平面図、（ｂ）はピン３０の重心説明図、（ｃ）はバレル１４の重心説明図である。
【図４】実施例４のダーツ矢１０を示す分解側面図である。
【図５】実施例４のダーツ矢１０の変形例を示す分解側面図である。
【図６】チップ１２の実施例を示し、（ａ）は左側面図、（ｂ）は正面図、（ｃ）は右側面図である。
【図７】バレル１４の実施例を示し、（ａ）は左側面図、（ｂ）は正面図、（ｃ）は右側面図である。
【図８】ピン３０の実施例を示し、（ａ）は左側面図、（ｂ）は正面図である。
【図９】シャフト１６の実施例を示し、（ａ）は左側面図、（ｂ）は正面図、（ｃ）は右側面図（ｄ）は平面図である。
【図１０】（ａ）はダーツ矢１０を連結した状態を示す側面図、（ｂ）〜（ｅ）はピン３０の変形例側面図である。
【図１１】実施例７のダーツ矢１０を示し、（ａ）はシャフト１６の側面図、（ｂ）はアダプタ５０の側面図、（ｃ）はチップ１２の側面図、（ｄ）はバレル１４の縦断面図、（ｅ）はピン３０の側面図、（ｆ）はこれらを接続した側面図である。
【図１２】ダーツカスタマイズキットの内容物を示す平面図である。
【符号の説明】
【００４３】
１０  ダーツ矢
１２  チップ
１４  バレル
１６  シャフト
１８  フライト
２０  前端ねじ孔
２２  後端ねじ孔
２４  チップのねじ部
２６  シャフトのねじ部
２８  軸孔
３０  ピン
３１  ねじ部
３２  前ねじ
３４  後ねじ
３６  ばね
３８  ストッパ
４０  スペーサ
４２  第１のスペーサ
４４  第２のスペーサ
４６  第１のスペーサ
４８  第２のスペーサ
５０  アダプタ
５２  雄ねじ部
５４  雌ねじ部
【図１】
2009201970.tif 000003
【図２】
2009201970.tif 000004
【図３】
2009201970.tif 000005
【図４】
2009201970.tif 000006
【図５】
2009201970.tif 000007
【図６】
2009201970.tif 000008
【図７】
2009201970.tif 000009
【図８】
2009201970.tif 000010
【図９】
2009201970.tif 000011
【図１０】
2009201970.tif 000012
【図１１】
2009201970.tif 000013
【図１２】
2009201970.tif 000014